(57)【特許請求の範囲】
【請求項１】
矩形状のシート本体と、該シート本体の上面に取り付けられた軟質材からなるクッションとを備え、壁面側に対して前記シート本体の一側辺を回転軸周りに揺動可能に枢支し、該シート本体を壁面側に沿って起立させた収納位置と略水平に引倒した使用位置とに変位できる起倒式シートにおいて、
前記シート本体の４辺のうち少なくとも何れか１辺に沿って、シート面より立ち上がるガード部を形成し、該ガード部の少なくとも一部を、前記シート面を成す前記クッションと一体に形成し、
前記ガード部の外側に、前記ガード部の基準面に対して凹設され、前記シート本体を動かす際の手掛かりとなる手掛かり部を設けたことを特徴とする起倒式シート。
【請求項２】
前記ガード部は、前記シート本体の基枠となるフレームの一部を成すリブを挟み込むように嵌合したことを特徴とする請求項１に記載の起倒式シート。
【請求項３】
前記手掛かり部は、前記シート本体に埋設されたことを特徴とする請求項１または２に記載の起倒式シート。
【請求項４】
前記ガード部に、前記壁面側との当接面を形成したことを特徴とする請求項１，２または３に記載の起倒式シート。
【請求項５】
前記当接面は、前記ガード部の一部を突出させて形成したことを特徴とする請求項４に記載の起倒式シート。
【請求項６】
前記ガード部は、前記シート本体の４辺のうち前記一側辺を除く３辺に沿って形成したことを特徴とする請求項１，２，３，４または５に記載の起倒式シート。
【発明の詳細な説明】
【技術分野】
【０００１】
本発明は、矩形状のシート本体と、該シート本体の上面に取り付けられた軟質材からなるクッションとを備え、壁面側に対して前記シート本体の一側辺を回転軸周りに揺動可能に枢支し、該シート本体を壁面側に沿って起立させた収納位置と略水平に引倒した使用位置とに変位できる起倒式シートに関し、特に、公衆用の化粧室等で乳幼児を寝かせて世話をするときに使用するベビーシートに適した起倒式シートに関する。
【背景技術】
【０００２】
従来より、壁面側に対してシート本体の一側辺を回転軸周りに揺動可能に枢支して、使用時にはシート本体を略水平に引倒し、収納時にはこれを起立させて壁面側に沿わせる起倒式シートは多数知られている。具体的には、公衆用の化粧室等の公共のスペースに設置され、乳幼児を一時的に寝かせたり、乳幼児のオムツを交換したりするときのためのベビーシートがある。
【０００３】
例えば本件発明者らは、特許文献１に示すように、ベッド部を開くときに倒伏動作が一挙に行われずに緩やかに行われるようにし、また、収納するとき楽な力でベッド部を起立させることができるように、ベッド部の落下モーメントに対向する上昇モーメントを発生させるばね部材を備え、このばね部材が破損したときに確実に使用不能にして安全性を確保することができるベビーシート（起倒開閉構造体）を既に提案している。
【０００４】
このような特許文献１に記載のベビーシートでは、ベッド部に、乳幼児の転落を防止するための樹脂部品から成るガード（囲繞部材）が載置面を囲むように設けられていた。また、ガードの一辺の端縁がそのまま手掛かりとなっていたが、専用部品（ハンドル）を後付けする場合もあった。また、ベッド部を起立させる際、衝撃吸収のために専用のクッション材を壁面側に当接させていた。さらに、ベッド部の外周を囲むガードの上端縁と壁面との間には、指が挟まらない程度の空間（２０ｍｍ以上の隙間）が設けられていた。
【先行技術文献】
【特許文献】
【０００５】
【特許文献１】特開２００８−２３７８３８号公報
【発明の概要】
【発明が解決しようとする課題】
【０００６】
前述した特許文献１に記載のベビーシートでは、次のような問題を解決するための更なる改良が望まれていた。先ず、ガードの角の部分にはアールが付けられていたが、材質の樹脂は相当固いものであるため、乳幼児が暴れてぶつかった際に痛がることが予想される。また、ガードの一辺がそのまま手掛かりである場合は、どこに手を掛けるべきか分りづらく、専用部品を後付けする場合は、部品費や取り付け費用（工数）等とコストが嵩むという問題があった。
【０００７】
また、ベッド部を起立させた際に衝撃を吸収する専用のクッション材は、その部品費や取り付け費用（工数）等とコストが嵩むという問題があった。さらに、ガードの上端縁と壁面との間に指が挟まらない空間を設けるには、未使用時になるべくガードの厚みを薄くして邪魔にならないようにすべく、特別なリンク機構を備えており、複雑でコスト高を招くばかりでなく、各部品間の隙間が構造上多くなり、清掃性が良くないという問題もあった。
【０００８】
本発明は、以上のような従来の技術の有する問題点に着目してなされたものであり、乳幼児が暴れても衝撃吸収性に優れて使用感が高く、専用部品を後付けすることなく手掛かりにより容易に動かすことができ、また、シート本体を起立させた際の衝撃吸収用の専用クッション材も不要となりコスト低減が可能となり、さらに、シート本体を起立させた際に壁との隙間を小さくすることができ、よりいっそうコスト低減が可能になると共に、清掃性を向上させることができる起倒式シートを提供することを目的としている。
【課題を解決するための手段】
【０００９】
前述した目的を達成するための本発明の要旨とするところは、以下の各項の発明に存する。  
［１］矩形状のシート本体（２０）と、該シート本体（２０）の上面に取り付けられた軟質材からなるクッション（２２）とを備え、壁面（Ｗ）側に対して前記シート本体（２０）の一側辺を回転軸（１２）周りに揺動可能に枢支し、該シート本体（２０）を壁面（Ｗ）側に沿って起立させた収納位置と略水平に引倒した使用位置とに変位できる起倒式シート（１０）において、
前記シート本体（２０）の４辺のうち少なくとも何れか１辺に沿って、シート面（２０ａ）より立ち上がるガード部（２４）を形成し、該ガード部（２４）の少なくとも一部を、前記シート面（２０ａ）を成す前記クッション（２２）と一体に形成し、
前記ガード部（２４）の外側に、前記ガード部（２４）の基準面に対して凹設され、前記シート本体（２０）を動かす際の手掛かりとなる手掛かり部（２５）を設けたことを特徴とする起倒式シート（１０）。
【００１０】
［２］前記ガード部（２４）は、前記シート本体（２０）の基枠となるフレーム（２１）の一部を成すリブ（２１０）を挟み込むように嵌合したことを特徴とする［１］に記載の起倒式シート（１０）。
【００１２】
［３］前記手掛かり部（２５）は、前記シート本体（２０）に埋設されたことを特徴とする［１］または[２]に記載の起倒式シート（１０）。
【００１３】
［４］前記ガード部（２４）に、前記壁面（Ｗ）側との当接面（２６）を形成したことを特徴とする［１］，［２］または［３］に記載の起倒式シート（１０）。
【００１４】
［５］前記当接面（２６）は、前記ガード部（２４）の一部を突出させて形成したことを特徴とする［４］に記載の起倒式シート（１０）。
【００１５】
［６］前記ガード部（２４）は、前記シート本体（２０）の４辺のうち前記一側辺を除く３辺に沿って形成したことを特徴とする［１］，［２］，［３］，［４］または［５］に記載の起倒式シート（１０）。
【００１６】
次に、前述した解決手段に基づく作用を説明する。  
前記［１］に記載の起倒式シート（１０）によれば、シート本体（２０）の４辺のうち少なくとも何れか１辺に沿って、シート面（２０ａ）より立ち上がるガード部（２４）を形成し、該ガード部（２４）の少なくとも一部を、前記シート面（２０ａ）を成すクッション（２２）と一体に形成する。ここでクッション（２２）は、柔らかく厚みがあり衝撃吸収性が高い素材である。
【００１７】
これにより、ガード部（２４）によって、シート本体（２０）に寝かされた乳幼児等の身体がそこからはみ出さないように囲うことができる。しかも、寝かされた乳幼児等が暴れても、手足や頭等を打ち付ける範囲にはクッション（２２）があるため、衝撃吸収性に優れて、使用感を高めることができる。
また、ガード部（２４）の外側に、ガード部（２４）の基準面に対して凹設され、シート本体（２０）を動かす際の手掛かりとなる手掛かり部（２５）を設けたことにより、手掛かりとなる範囲が広くなり、様々な方向から手を掛けて動かすことが可能となるため使い勝手も向上する。しかも、専用部品（ハンドル）を後付けする場合のように、コストが嵩むことがない。
【００１８】
ここで前記［２］に記載したように、ガード部（２４）を、シート本体（２０）の基枠となるフレーム（２１）の一部を成すリブ（２１０）を挟み込むように嵌合させることにより、ガード部（２４）が柔軟性のあるクッション（２２）から成る場合でも、その形状をしっかりと保持することができる。
【００２０】
ここで前記［３］に記載したように、前記手掛かり部（２５）を、シート本体（２０）に埋設させることにより、余計な構造が周囲に出っ張ることがなくなり、物が引っ掛かる虞がなく、また、見た目もすっきりとしたデザインとなり、さらに、清掃性も向上する。
【００２１】
また、前記［４］に記載の起倒式シート（１０）によれば、ガード部（２４）に、壁面（Ｗ）側との当接面（２６）を形成したことにより、シート本体（２０）を起立させる際の衝撃吸収用の専用部品を別途設ける必要がなくなり、コスト低減が可能となる。
【００２２】
ここで前記［５］に記載したように、前記当接面（２６）は、ガード部（２４）の一部を突出させて形成すると良い。これにより、例えば型抜きで容易に一体形成することができ、余計なコストがかからずにすむ。
【００２３】
さらにまた、前記［６］に記載した起倒式シート（１０）のように、ガード部（２４）を、シート本体（２０）の４辺のうち壁面側に枢支する一側辺を除く３辺に沿って形成すれば、着座者を囲うことができる範囲が広がりいっそう安全性を高めることができる。また、クッション（２２）によるガードの高さを維持したまま、壁面（Ｗ）側との隙間を極力無くしても問題なく、その分、シート本体（２０）を起立させた未使用時の厚みを薄くして、外観をすっきりさせることができる。
【発明の効果】
【００２４】
本発明に係る起倒式シートによれば、寝かされた乳幼児等が暴れても、手足や頭等を打ち付ける範囲にはクッションがあるため、衝撃吸収性に優れて、使用感を高めることができ、専用部品を後付けすることなく手掛かりにより容易に動かすことができ、また、シート本体を起立させた際の衝撃吸収用の専用クッション材も不要となりコスト低減が可能となり、さらに、シート本体を起立させた際に壁との隙間を小さくすることができ、よりいっそうコスト低減が可能になると共に、清掃性を向上させることができる。
【図面の簡単な説明】
【００２５】
【図１】本発明の実施の形態に係るベビーシートのシート本体が使用位置にある状態を示す斜視図である。
【図２】本発明の実施の形態に係るベビーシートのシート本体が収納位置にある状態を示す斜視図である。
【図３】本発明の実施の形態に係るベビーシートのシート本体が使用位置にある状態を示す平面図である。
【図４】本発明の実施の形態に係るベビーシートのシート本体が収納位置にある状態を示す平面図である。
【図５】本発明の実施の形態に係るベビーシートのシート本体が使用位置にある状態を示す側面図である。
【図６】本発明の実施の形態に係るベビーシートのシート本体が収納位置にある状態を示す側面図である。
【図７】本発明の実施の形態に係るベビーシートのシート本体が使用位置にある状態を示す縦断面図である。
【図８】本発明の実施の形態に係るベビーシートのシート本体が収納位置にある状態を示す縦断面図である。
【図９】本発明の実施の形態に係るベビーシートのクッションを上方から見た斜視図である。
【図１０】本発明の実施の形態に係るベビーシートのクッションを下方から見た斜視図である。
【図１１】本発明の実施の形態に係るベビーシートのクッションを示す平面図である。
【図１２】本発明の実施の形態に係るベビーシートのクッションを示す正面図である。
【図１３】図１１のXIII−XIII線断面図である。
【図１４】図１１のXIV−XIV線断面図である。
【図１５】図１１のXV−XV線断面図である。
【図１６】本発明の実施の形態に係るベビーシートの下受カバーを上方から見た斜視図である。
【図１７】本発明の実施の形態に係るベビーシートの下受カバーを下方から見た斜視図である。
【図１８】本発明の実施の形態に係るベビーシートの下受カバーを示す平面図である。
【図１９】本発明の実施の形態に係るベビーシートの下受カバーを示す正面図である。
【図２０】図１９のXX−XX線断面図である。
【図２１】本発明の実施の形態に係るベビーシートの上面カバーを上方から見た斜視図である。
【図２２】本発明の実施の形態に係るベビーシートの上面カバーを下方から見た斜視図である。
【図２３】本発明の実施の形態に係るベビーシートの上面カバーを示す平面図である。
【図２４】本発明の実施の形態に係るベビーシートの上面カバーを示す正面図である。
【図２５】図２４のXXV−XXV線断面図である。
【図２６】本発明の実施の形態に係るベビーシートにおける排水処理を示す説明図である。
【図２７】本発明の実施の形態に係るベビーシートにおける排水処理を示す説明図である。
【図２８】本発明の実施の形態に係るベビーシートの下受カバーにおける排水孔の位置を示す説明図である。
【図２９】本発明の実施の形態に係るベビーシートの下受カバーにおける排水孔の位置を示す説明図である。
【発明を実施するための形態】
【００２６】
以下、本発明を代表する実施の形態に係る起倒式シートについて、図面を参照して説明する。本実施の形態に係る起倒式シートは、シート本体を壁面側に沿って起立させた収納位置と略水平に引倒した使用位置とに変位可能なものである。以下に、起倒式シートをベビーシート１０に適用した場合を例に説明する。ベビーシート１０は、公衆用の化粧室等で乳幼児を座らせたり寝かせて世話をするときに使用するベッド状のものである。
【００２７】
図１〜図６は、本実施の形態に係るベビーシート１０の外観全体を示す。図１は、ベビーシート１０のシート本体２０を略水平に引倒した使用位置にある状態を示す斜視図であり、図２は、シート本体２０を壁面Ｗ側に沿って起立させた収納位置にある状態を示す斜視図である。図３は、シート本体２０が使用位置にある状態を示す平面図であり、図４は、シート本体２０が収納位置にある状態を示す平面図である。図５は、シート本体２０が使用位置にある状態を示す側面図であり、図６は、シート本体２０が収納位置にある状態を示す側面図である。
【００２８】
各図に示すように、ベビーシート１０は、壁面Ｗに固定されるベース１１と、該ベース１１の上端部に揺動可能に支持される矩形状のシート本体２０と、該シート本体２０の上面に取り付けられた軟質材からなるクッション２２とを備える。壁面Ｗ側であるベース１１の上端部に対して、シート本体２０の一側辺が回転軸１２周りに揺動可能に枢支されている。つまり、回転軸１２周りにシート本体２０を揺動することにより、シート本体２０が壁面Ｗに沿って起立した収納位置（図２参照）と、シート本体２０が略水平に引倒された使用位置（図１参照）とに変位可能となっている。
【００２９】
図７は、シート本体２０が使用位置にある状態を示す縦断面図であり、図８は、シート本体２０が収納位置にある状態を示す縦断面図である。これらの図に示すように、ベース１１は、壁面Ｗに沿って立設させる金属製の固定フレーム１１０と、この固定フレーム１１０を覆うように取り付けられるベースカバー１１１とを備えている。
【００３０】
ベース１１の上端部には、シート本体２０の回転軸１２を回動可能に軸支するための軸受け１３が設けられている。軸受け１３の周囲には図示省略したが、シート本体２０を使用位置に係止するストッパのほか、シート本体２０の落下モーメントに対向する上昇モーメントを発生させるばね部材等を設けると良い。また、軸受け１３の下方には、回転軸１２の下方を覆う下受カバー１４が設けられている。一方、軸受け１３の上方には、回転軸１２の上方を覆う上面カバー１５が設けられている。下受カバー１４および上面カバー１５について詳しくは後述する。
【００３１】
図１〜図８に示すように、シート本体２０は、全体的には両側方向に延びる矩形状に形成されており、上面が開口した底浅箱形のフレーム２１と、この上面に取り付けられてシート面２０ａをなすクッション２２と、フレーム２１の下面側を覆うように装着されるカバー体２３から成る。シート本体２０の４辺のうち、前記回転軸１２周りに揺動する一側辺を含む４辺に沿って、クッション２２のシート面２０ａより立ち上がるガード部２４が形成されている。
【００３２】
図２に示すように、ガード部２４は、前記シート面２０ａを成すクッション２２と一体に形成されている。詳しく言えばガード部２４は、シート面２０ａの両側短辺に沿ってそれぞれ立ち上がる一対の側縁ガード部２４ａ，２４ｂと、シート面２０ａの前記回転軸１２側である後側長辺（一側辺）とは反対側の前側長辺に沿って立ち上がる前縁ガード部２４ｃとからなる。また、シート面２０ａの前記回転軸１２側である後側長辺にも、実質的には後側長辺に沿って立ち上がる後縁ガード部２４ｄが形成されている。
【００３３】
図７に示すように、ガード部２４は、後縁ガード部２４ｄを除いてシート本体２０の基枠となるフレーム２１のリブ２１０を挟み込むようにクッション２２を嵌合してなる。なお、後縁ガード部２４ｄは、他の側縁ガード部２４ａ，２４ｂや前縁ガード部２４ｃの高さの略半分の高さであるため、必ずしもガード部２４として捉える必要はない。
【００３４】
フレーム２１は、上面が開口した底浅箱形に合成樹脂等の硬質材で一体成形されており、リブ２１０は、フレーム２１の底板の４辺に沿ってフランジ状に立ち上がるように設けられている。また、フレーム２１の後側長辺が、前記ベース１１に設けられている軸受け１３に揺動可能に連結される。
【００３５】
図９〜図１５は、クッション２２を示している。図９は、クッション２２を上方から見た斜視図であり、図１０は、クッション２２を下方から見た斜視図である。図１１は、クッション２２の平面図であり、図１２は、クッション２２の正面図である。また、図１３は、図１１のXIII−XIII線断面図であり、図１４は、図１１のXIV−XIV線断面図であり、図１５は、図１１のXV−XV線断面図である。
【００３６】
図９〜図１５に示すように、クッション２２は、例えば発泡ウレタン等の軟質材から一体成形されるものである。かかるクッション２２の形状は、シート面２０ａを底とする底深のトレー状であり、型抜き容易な形状となっている。詳しく言えば、クッション２２におけるシート面２０ａの両側短辺と前側長辺の３側辺は、前記ガード部２４を形成すべく同じ高さに立ち上がっている。
【００３７】
かかるクッション２２の立ち上がり部分の裏側には、前記フレーム２１のリブ２１０が嵌入する取付溝２２０（図１０，図１３参照）が形成されている。同様に、クッション２２におけるシート面２０ａの後側長辺の側にも、他の３辺に比べて低い前記後縁ガード部２４ｄを成す立ち上がり部分があり、当該部位は後述する上面カバー１５の一部と共に小物等を置ける載置面を成すことになる。
【００３８】
カバー体２３は、前記フレーム２１の下面側を覆う形状に合成樹脂等の硬質材で一体成形される。かかるカバー体２３は、シート本体２０の底面および側面を囲うものであり、シート本体２０の側面を覆う部分においては、前記ガード部２４の外側外装を成している。カバー体２３の上端縁に連なる前記クッション２２の立ち上がり部分の上端縁は、カバー体２３の上端縁より内側に一段凹むように形成されている。
【００３９】
これにより、ガード部２４の外側には、その基準面（カバー体２３の外表面）に対して凹設され、シート本体２０を動かす際の手掛かりとなる手掛かり部２５が形成されている。図３に示すように、手掛かり部２５は、シート本体２０の４辺のうち後側長辺を除く３辺より立ち上がるガード部２４の上端側において、シート本体２０に埋設されるように形成されている。
【００４０】
また、ガード部２４の上端側をなすクッション２２の立ち上がり部分の上端縁には、前記壁面Ｗ側との当接面２６が形成されている。図１に示すように、当接面２６は、シート本体２０の前側長辺の両端において、それぞれ前記クッション２２の上端縁の一部を円柱形に突出させた端面として形成されている。当接面２６は、シート本体２０を収納位置まで揺動させた際に前記壁面Ｗに当接するように設定されている。
【００４１】
さらに、図１，図３に示すように、クッション２２の中央部分には、シート面２０ａに乳幼児を寝かせた際に乳幼児を拘束するベルト２７を通すための一対のベルト挿通孔２８，２８が形成されている。各ベルト挿通孔２８の周囲表面に、該ベルト挿通孔２８への液体の侵入を防止するためのリブ２９が形成されている。リブ２９は、ベルト挿通孔２８の内周縁を取り囲むようシート面２０ａの基準面より一段高い凸状断面に形成されている。
【００４２】
図１６〜図２０は、下受カバー１４を示している。図１６は、下受カバー１４を上方から見た斜視図であり、図１７は、下受カバー１４を下方から見た斜視図である。図１８は、下受カバー１４の平面図であり、図１９は、下受カバー１４の正面図である。また、図２０は、図１９のXX−XX線断面図である。下受カバー１４は、前記回転軸１２の下方を覆う形状に合成樹脂等の硬質材で一体成形されている。下受カバー１４は、回転軸１２の下方を覆うことで指等の侵入を防ぎ安全性を高めると共に、シート本体２０に侵入した液体の水受けともなる部材である。
【００４３】
図２１〜図２５は、上面カバー１５を示している。図２１は、上面カバー１５を上方から見た斜視図であり、図２２は、上面カバー１５を下方から見た斜視図である。図２３は、上面カバー１５の平面図であり、図２４は、上面カバー１５の正面図である。また、図２５は、図２４のXXV−XXV線断面図である。上面カバー１５は、前記回転軸１２の上方を覆う形状に合成樹脂等の硬質材で一体成形されている。上面カバー１５は、回転軸１２の上方からの指等の侵入を防ぎ安全性を高めると共に、小物を載せるスペースを確保することができる部材である。
【００４４】
図７および図８に示すように、前記カバー体２３の回転軸１２側に延びる後側長辺は、前記軸受け１３を周回するように立ち上がっており、この後側長辺の外側に沿うように、回転軸１２の下方を覆う下受カバー１４が配されている。下受カバー１４は、前記ベース１１の上端部に取り付けられている。また、下受カバー１４に対して軸受け１３を間に対向する上側には、前記軸受け１３を周回してから水平に延びさらに垂直に立ち上がる上面カバー１５が配されている。上面カバー１５も、前記ベース１１の上端部に取り付けられている。
【００４５】
上面カバー１５の水平部分１５ｂは、前記クッション２２における後側長辺の立ち上がり部分の上端縁と共に小物等を置ける載置面を成している。なお、クッション２２の後側長辺の立ち上がり部分と、上面カバー１５のうち前記軸受け１３を周回する下垂部分１５ｃとの間には、液体が通過し得る程度の隙間が空いている。
【００４６】
また、前記カバー体２３で回転軸１２側に延びる後側長辺は、前記軸受け１３を周回するように立ち上がっており、この後側長辺の端縁は、シート本体２０を収納位置に起立させた際に、前記下受カバー１４に下向きに連なる状態になるよう設定されている。これにより、シート本体２０のシート面２０ａに溜まった液体は、シート本体２０の収納位置への起立に伴って、シート本体２０の後側長辺から上面カバー１５を介してクッション２２下側のカバー体２３内側に流出し、このカバー体２３より下受カバー１４へ流出可能となっている。
【００４７】
図１６に示すように、下受カバー１４のうちシート本体２０の壁面Ｗ側に対する金属製の固定フレーム１１０を除く位置に排水孔１４１が設けられている。排水孔１４１は、下受カバー１４の両側に一対設けられており、各排水孔１４１は、それぞれ壁面Ｗ側から手前側に離れた位置に形成されている。
【００４８】
排水孔１４１は、シート本体２０の底面となる前記カバー体２３内側に溜まった液体を下受カバー１４が受けた際に、液体を壁面Ｗや固定フレーム１１０から離れた所定の位置に排水するものである。また、図２０に示すように、排水孔１４１の周囲表面に、前記壁面Ｗ側への液体の回り込みを防止するためのリブ１４２が形成されている。リブ１４２は、排水孔１４１の内周縁のうち後端側より下方に突出するように形成されている
【００４９】
次に、本実施の形態に係るベビーシート１０の作用について説明する。  
図２，図６に示すように、シート本体２０が収納位置にある際に、該シート本体２０が起立してクッション２２のガード部２４の上端縁が壁面Ｗに沿った状態にある。このとき、ガード部２４にある当接面２６が壁面Ｗに当接している。これにより、シート本体２０を起立させる際の衝撃吸収用の専用部品を別途設ける必要がなく、コスト低減が可能となる。
【００５０】
また、従来のベビーシートでは、ガードの上端縁と壁面との間に指が挟まらない空間を設ける必要があったが、本ベビーシート１０によれば、壁面Ｗに対向するガード部２４の表層は、衝撃吸収性が高い素材からなるクッション２２であるため、クッション２２によりガード高さを維持したまま、壁面Ｗ側との隙間を極力無くしても安全上問題がない。その分、シート本体２０を起立させた未使用時における壁面Ｗからの出っ張り（厚み）を薄くして、外観をすっきりとしたデザインにすることができる。
【００５１】
ベビーシート１０を使用するときには、シート本体２０を前記収納位置から図１，図５に示す使用位置まで手前方向に引倒せば良い。ガード部２４の外側には、その基準面に対して凹設された手掛かり部２５があるため、シート本体２０を動かす際の手掛かりとなる範囲が広く、様々な方向から手を掛けて容易に動かすことができる。しかも、専用部品（ハンドル）を後付けする必要もなくコスト低減が可能となり、余計な構造が周囲に出っ張ることもなく清掃性も向上する。
【００５２】
図１に示すように、シート本体２０が略水平に使用位置まで変位すると、シート本体２０は、クッション２２のシート面２０ａを底面とした略水平な状態に保持され、シート面２０ａの４辺は何れも、クッション２２と一体に形成したガード部２４によって囲まれる。これにより、シート面２０ａに乳幼児を寝かせて世話をする際に、シート本体２０から乳幼児等の身体がはみ出ることがなく、乳幼児が暴れても手足や頭等を打ち付ける範囲がクッション２２であるため、衝撃吸収性に優れて、使用感を高めることができる。
【００５３】
ガード部２４は、シート本体２０の基枠となるフレーム２１のリブ２１０を挟み込むように嵌合させているから、ガード部２４が柔軟性のあるクッション２２から成る場合でも、その形状をしっかりと保持することができる。また、ガード部２４は、シート本体２０の４辺に沿って形成されているため、乳幼児を囲う範囲も広く安全性をいっそう高めることができる。なお、シート本体２０の後側長辺に沿う後縁ガード部２４ｄは省略しても良い。
【００５４】
また、クッション２２にはベルト２７が装備されており、シート面２０ａにあるベルト挿通孔２８から引き出したベルト２７によって、寝かせた乳幼児の動きを制限しておくことができる。ここで挿通孔２８の周囲表面に、該挿通孔２８への液体の侵入を防止するリブ２９が形成されているため、クッション２２のシート面２０ａ上にこぼれたジュース等の液体が、ベルト挿通孔２８よりシート本体２０の内部に侵入することを防止することができる。
【００５５】
次に、シート面２０ａ上にこぼれたジュース等の液体の排水処理について説明する。  
シート面２０ａ上にこぼれた液体は、図２６に示すように、シート本体２０の収納位置への起立に伴って、シート本体２０の後側長辺から上面カバー１５と後縁ガード部２４ｄとの隙間を通ってクッション２２下側のカバー体２３内側に流出する。
【００５６】
続いて、図２７に示すように、シート本体２０を収納位置となる略垂直な状態まで起立させると、カバー体２３はその後側長辺の端縁が下受カバー１４に下向きに連なる状態となる。これにより、カバー体２３に溜まっていた液体は下受カバー１４へ流出する。下受カバー１４には、排水孔１４１が設けられているため、下受カバー１４まで流出した液体は、排水孔１４１より外部に排出される。これにより、液体がシート本体２０の内部に残留して悪臭が発生することを未然に防止することができる。
【００５７】
図２８，図２９に示すように、排水孔１４１は、下受カバー１４のうち金属製の固定フレーム１１０を回避する位置に設けられているので、板金部位が直接被水することがなく錆の発生を防止することができる。また、排水孔１４１は、壁面Ｗ側から手前側に離れた位置にあるため、壁面Ｗ側が排水で汚れる事態を防止することができる。さらに、排水孔１４１の周囲表面には、壁面Ｗ側への液体の回り込みを防止するリブ１４２があるため、よりいっそう壁面Ｗ側が排水で汚れる事態を未然に防止することができる。
【００５８】
以上、本発明の実施の形態を図面によって説明してきたが、具体的な構成は前述したような実施の形態に限られるものではなく、本発明の要旨を逸脱しない範囲における変更や追加があっても本発明に含まれる。例えば、前記実施の形態では、本発明に係る起倒式シートをベビーシートとして説明したが、他に介護用の簡易ベッド等にも適用することができる。また、前記ガード部２４は、前記シート本体２０の４辺に沿って形成したが、回転軸１２側の後側長辺（一側辺）を除く３辺だけに沿って形成しても良い。
【産業上の利用可能性】
【００５９】
本発明に係る起倒式シートは、特に、公衆用の化粧室等で乳幼児を寝かせて世話をするときに使用するベビーシートとして活用することができる。
【符号の説明】
【００６０】
１０…ベビーシート
１１…ベース
１１０…固定フレーム
１１１…ベースカバー
１２…回転軸
１３…軸受け
１４…下受カバー
１４１…排水孔
１４２…リブ
１５…上面カバー
２０…シート本体
２０ａ…シート面
２１…フレーム
２１０…リブ
２１１…回動部
２２…クッション
２２０…取付溝
２３…カバー体
２４…ガード部
２４ａ…側縁ガード部
２４ｂ…側縁ガード部
２４ｃ…前縁ガード部
２４ｄ…後縁ガード部
２５…手掛かり部
２６…当接面
２７…ベルト
２８…ベルト挿通孔
２９…リブ
Ｗ…壁面
【図１】
0005566640.tif 000002
【図２】
0005566640.tif 000003
【図３】
0005566640.tif 000004
【図４】
0005566640.tif 000005
【図５】
0005566640.tif 000006
【図６】
0005566640.tif 000007
【図７】
0005566640.tif 000008
【図８】
0005566640.tif 000009
【図９】
0005566640.tif 000010
【図１０】
0005566640.tif 000011
【図１１】
0005566640.tif 000012
【図１２】
0005566640.tif 000013
【図１３】
0005566640.tif 000014
【図１４】
0005566640.tif 000015
【図１５】
0005566640.tif 000016
【図１６】
0005566640.tif 000017
【図１７】
0005566640.tif 000018
【図１８】
0005566640.tif 000019
【図１９】
0005566640.tif 000020
【図２０】
0005566640.tif 000021
【図２１】
0005566640.tif 000022
【図２２】
0005566640.tif 000023
【図２３】
0005566640.tif 000024
【図２４】
0005566640.tif 000025
【図２５】
0005566640.tif 000026
【図２６】
0005566640.tif 000027
【図２７】
0005566640.tif 000028
【図２８】
0005566640.tif 000029
【図２９】
0005566640.tif 000030